(57)【要約】【課題】ズームファインダーの移動レンズ枚数及びカムの本数が増えたときに、カム環を２体に分けて小型化を図り、２つのカム環の組み立て及び位相を合わせを簡便化する。【解決手段】撮影用のズームレンズと、ズームレンズのズーミング動作に連動してズームするズームファインダーを持ち、ズームファインダーのレンズを撮影レンズのズーム移動に連動してカムでズーミングするためのカム環で、第一のギアと一体となって回転する第一のカム環と、第二のギアと一体となって回転する第二のカム環を持ち、第一及び第二のカム環を回転させるための第三のギアがあり、第三のギアは撮影レンズ鏡筒のズーム駆動に連動して動作するカメラにおいて、第三のギアをはずすと第一のギアと第二のギアの噛合いを外して第一のカム環と第二のカム環の位相合わせができ、第三のギアを取り付けると第一のギアと第二のギアの噛合いが外れない様にカメラのファインダーを構成した。【選択図】　　　　図１
2004145044.tif 000002
【特許請求の範囲】
【請求項１】
撮影用のズームレンズと、ズームレンズのズーミング動作に連動してズームするズームファインダーを持ち、ズームファインダーのレンズを撮影レンズのズーム移動に連動してカムでズーミングするためのカム環であって、第一のギアとそれと一体となって回転する第一のカム環と、第二のギアとそれと一体となって回転する第二のカム環を持ち、第一及び第二のカム環を回転させるための第三のギアがあり、第三のギアは撮影レンズ鏡筒のズーム駆動に連動して動作するカメラのファインダーにおいて、前記第三のギアをはずすと第一のギアと第二のギアの噛合いを外して第一のカム環と第二のカム環の位相合わせができ、第三のギアを取り付けると第一のギアと第二のギアの噛合いが外れないように構成したことを特徴とするカメラのファインダー。
【発明の詳細な説明】
【０００１】
【発明の属する技術分野】
本発明はズームファインダーを持つカメラ及び電子カメラの技術に関するものである。
【０００２】
【従来の技術】
カメラのズームファインダーのズーム駆動は、撮影レンズのズーミング動作により、ファインダー用のカム環またはカム板を駆動する。そして、ファインダーレンズまたはその保持部材にカムにあたるカムピンがついており、カムピンがカム環またはカム板のカムに従って光軸方向に移動する様に構成されているというのが一般的である。
【０００３】
従来のファインダーレンズをズーミングさせるためのカム形状は一体の部材に形成されていた。ズーミングの際に２枚程度のレンズを同時に動かす場合には一体でカムを形成してもカム部材がそれほど大型にならずに済んでいた。
【０００４】
またズームファインダーの位相と撮影系ズームレンズの位相を合わせる方法は従来から知られている。特開２００１−２９６５９２には歯数を整数倍にした２段歯車により、撮影系とファインダー系のギアの位相を合わせる方法が開示されている。これは２段歯車の小ギア側から組み付けることにより、大ギア側の位相が決まるということを利用して位相合わせを省略する方法である。
またよく知られている方法にギアに印を付けて位相を合わせる方法がある。
【０００５】
【発明が解決しようとする課題】
しかし、ズーム倍率が上がるにつれ、収差補正がレンズ２枚の移動のみでは不十分になってくるため、移動させるレンズの枚数も増やす必要がある。移動するレンズの枚数が増え、それぞれのカム軌跡が異なっている場合、一体の部材で全てのレンズのカム軌跡を形成するのが困難になってくる。
【０００６】
特にスペースの問題でカム部材を回転部材にした場合には、カムとレンズ駆動ピンの位置が限定されるためカムが重なってしまう場合がある。
【０００７】
図１７の例に示したのが３つのレンズを別々に動かすズームファインダーのカムの展開図である。図で９１が対物Ｇ２レンズ、９２が対物Ｇ３レンズ、９３が対物Ｇ４レンズのカムピンの中心の軌跡である。
【０００８】
この場合ファインダーを小型化するためにカムを小径にしたために、カムピンの入る溝を形成するのにカムが交差する場所があるのと、カム間の隙間が小さいため肉厚がとれないのでカム溝を作れなくなってしまうという問題がある。カムの交差を避ける方法としてはカム環の径を変えたり、１回転未満のカムにすればよいが、精度や大きさの面で不利になるという問題がある。またカム溝間の肉厚に関してはカムピン径を小さくする方法があるが、カムピンの強度が弱くなり折れやすくなるという問題がある。またカム部材を長くしてカムピン間の間隔を広げることも考えられるが、そのためにはカム部材が大きくなってしまい小型化に不利である。
【０００９】
そこで小さい二つのカム環を用意してそれぞれに別のカムを形成すればカム部材のレンズ移動方向の大きさを小さくできる。しかしカム部材を二体化すると、カムの組み込みのときに２つのカムの位相が狂わないように位相合わせしながら組むのは困難であった。位相が合わない場合にはレンズ間の位置のずれから像の見えが悪くなり倍率や視度なども合わなくなってしまうという問題があった。このようなずれが生じた場合にカムを一度ばらして新たに位相を合わせてから組む必要があり、位相のチェックや組みなおしに非常に手間がかかるという問題があった。以上の問題から従来ではファインダーのカム環を２体化することはなかった。
【００１０】
【課題を解決するための手段】
以上の問題を解決するために本発明においては、
撮影用のズームレンズと、ズームレンズのズーミング動作に連動してズームするズームファインダーを持ち、ズームファインダーのレンズを撮影レンズのズーム移動に連動してカムでズーミングするためのカム環であって、第一のギアとそれと一体となって回転する第一のカム環と、第二のギアとそれと一体となって回転する第二のカム環を持ち、第一及び第二のカム環を回転させるための第三のギアがあり、第三のギアは撮影レンズ鏡筒のズーム駆動に連動して動作するカメラのファインダーにおいて、前記第三のギアをはずすと第一のギアと第二のギアの噛合いを外して第一のカム環と第二のカム環の位相合わせができ、第三のギアを取り付けると第一のギアと第二のギアの噛合いが外れないように構成したことを特徴とする様にカメラのファインダーを構成した。
【００１１】
【発明の実施の形態】
以上の様に構成されたカメラのファインダーにおいては第一のカムと第二のカムの位相合わせをカムと一体化させたギアの位相で合わせ、ギアの位相合わせは第三の鏡筒からのズーム駆動を伝達するギアを取り付ける前にカムを光軸方向に移動させることでギアの噛み合わせを外して、位相合わせを行って噛合わせ、その後第三のギアを取り付けた後は第一のギアと第二のギアの噛合わせが外せなくなる。このことにより組み立て及び位相合わせが容易でしかも後から外れることがなくなり、また小型化が容易になる。
【００１２】
【実施例】
本発明を表す鏡筒断面図を図１に示す。
【００１３】
図において、１、２、３は変倍作用を持つ１群レンズ、２群レンズ、３群レンズ、４はフォーカスと像面補正を司る４群レンズ、５はローパスフィルタ、６はＣＣＤである。
【００１４】
１１、１２、１３、１４は各群レンズを光軸方向に移動可能に保持する１群鏡筒、２群鏡筒、３群鏡筒、４群鏡筒であり、１、２、３群鏡筒は内周にカム溝を有する移動カム環２１に保持されている。
【００１５】
２２は固定筒であり、内周に有するカム溝で移動カム環を移動可能に保持している。
【００１６】
２４はＣＣＤホルダーであり、固定筒が固定されており、またローパスフィルタやＣＣＤを保持している。２５は移動カム環を回転する駆動環、２６は１，２，３群鏡筒の回転を抑制して直進移動させる直進ガイド環である。２７は４群鏡筒を駆動するフォーカスモータ、２８は駆動環を駆動するズームモータであり、どちらもＣＣＤホルダーに固定されている。
【００１７】
３１はＣＣＤの信号を伝達するフレキシブルプリント基板（以降ＦＰＣと称す）、３２は絞りシャッターユニットおよびＮＤユニットに信号を伝達するＦＰＣ、３３、３４はフォーカスモータおよびズームモータに電源を供給するＦＰＣである。
【００１８】
以上の様に構成された鏡筒の動作を詳述する。
【００１９】
図９は鏡筒の駆動環の断面図とファインダーとの関係を示す図である。ズームモータの回転は図示しないギア系によって図９に示す駆動ギア２３に伝達され、駆動ギアは駆動環に構成されている内周ギア２５ａと噛合って回転を駆動環に伝達する。
【００２０】
駆動環の外周面には内周ギア２５ａと光軸方向にずれた位置に外周ギア２５ｃが設けられている。２つのギア位置を光軸方向にずらしたので、内周ギア２５ａと外周ギア２５ｃは駆動環の肉厚を考えずにピッチ円半径をぎりぎりまで近づけたり、肉厚やギアのモジュールの設定によっては内周ギアの方が大きくすることも可能となる。外周ギア２５ｃはファインダーの２段ギア７１の大ギア側７１ａと噛合っており、これによりズーム動作の駆動力が、ファインダー側に伝わる。
駆動環の側面には光軸方向に均一の幅で肉厚保方向に貫通している直進ガイド溝２５ｂが３本設けられている。移動カム環の外周には固定筒の３本の内面カム溝と嵌合する３つのフォロワ２１ａが設けられ、移動カム環は回転に応じて固定筒のカム溝に沿って移動する。フォロワ２１ａの周囲には鏡筒と一体構成のガイド部２１ｂが設けられていて、駆動環の直進ガイド溝２５ｂと摺動可能に嵌合している。駆動環が回転すると直進ガイド溝に嵌合しているガイド部を通じて移動カム環に回転が伝えられ、移動カム環は固定筒のカム溝に沿って回転しながら光軸方向に移動することになる。なお移動カム環のフォロワ近傍にはピン２１ｃが設けられていて、鏡筒が外部から衝撃を受けた場合にはピンが固定筒の溝２２ａ端面に当たることによって衝撃を吸収し、フォロワとカム溝が脱落することを防ぐようになっている。
【００２１】
移動カム環の内周には光軸方向に均一幅の案内溝２１ｄが全周にわたって切られており、直進ガイド環の外周に設けた爪２６ｄが摺動可能に嵌合しているので、移動カム環と直進ガイド環は相互に回転可能に一体化されている。
【００２２】
ところが直進ガイド環は後述する（図８に示す）回転防止キー６１，６２によって光軸回りの回転が抑制されているため、移動カム環が固定筒のカム溝に沿って回転移動すると直進ガイド環は光軸方向にのみ移動することになる。
【００２３】
移動カム環のカム溝には１、２、３群鏡筒が保持されている。直進ガイド環の側面には光軸に平行に一定幅の直進ガイド溝２６ａ、２６ｂ、２６ｃがあり、それぞれ１、２、３群鏡筒のフォロワが摺動可能に嵌合しており、それによって各群鏡筒は回転移動を抑制されている為、移動カム環が移動すると各群鏡筒は回転せずに光軸方向に移動することになり、所望する焦点距離に応じたレンズの配置にすることができる。
【００２４】
ここでカム溝には各群鏡筒のカムフォロワが嵌合するが、１群鏡筒では鏡筒と一体的に設けられた３つのフォロワ１１ａ、２群鏡筒では鏡筒と一体的に設けられた２つのフォロワ１２ａとばねによりカム溝に付勢された不図示の可動フォロワ１２ｂ、３群鏡筒も２群と同様に鏡筒と一体的に設けられた２つのフォロワ１３ａとばねによりカム溝に付勢された可動フォロワ１３ｂからなっている。本実施例では１群鏡筒に外部から衝撃が加わった時にカム溝から脱落しないように、フォロワは光軸に対してほぼ９０度の角度とし、また図２の移動カム環内面展開図に示したように１群鏡筒のカム溝はＷＩＤＥからＴＥＬＥの間で勾配を無くして外力を受け止められる構造になっている。
【００２５】
ここで図２において、２１ｆ、２１ｇ、２１ｈはそれぞれ１群、２群、３群鏡筒のカム溝、２１ｊ、２１ｋは組み立て時にカム溝へ各群鏡筒を導くための導入溝、２１ｍは２１ｇと２１ｈを結ぶ連結溝である。
【００２６】
２群、３群鏡筒はそれぞれ１つのフォロワを可動フォロワとしばねで付勢したことにより、鏡筒の駆動負荷を安定させると共に、カム溝とフォロワのがたを無くしてレンズの偏芯を抑制するようになっている。
【００２７】
また図２示すように２群鏡筒、３群鏡筒の光軸方向の移動量が大きいため、レンズ鏡筒全体を小型化するにはカム溝を重なり合わせて配置するしかない。ところがそうした場合組み立ての際に２群鏡筒カム溝へ２群鏡筒を導入する導入溝を配置する場所がなくなってしまう。さらに１群鏡筒も組み立て時に従来通り２群、３群と同じ方向から導入しようとするとこれもまた導入溝の配置場所がなくなってしまう。
【００２８】
そこで本実施例では１群鏡筒は２群鏡筒と３群鏡筒とは反対側から組み立てる様にして、また２群鏡筒と３群鏡筒のカム溝２１ｇと２１ｈとを連結溝２１ｍで連結し、２群カム溝へ２群鏡筒を導入する時はまず３群鏡筒のカム溝を通過してから連結溝２１ｍを通って２群カム溝へ到達するような構造とした。これに対応して直進ガイド環のガイド溝も１群は被写体側から挿入するので２６ａの様に前方に開いていて、２群３群は結像面側から挿入するので２６ｂ、２６ｃの様に反対側に開いた形状になっている。このようにしたことによって鏡筒径および鏡筒全長を小型化することができる。
【００２９】
次にフォーカスレンズの駆動について説明する。
【００３０】
４群レンズは前述のように４群鏡筒に保持されていて、４群鏡筒は光軸と平行に置かれた図示しないメインガイドバーに摺動可能に保持されている。光軸を隔ててメインガイドバーの略反対側には光軸と平行なサブガイドバーがあり、４群鏡筒の図示しない回り止めが摺動可能に嵌合している。さらに４群鏡筒のメインガイドバー近辺には断面コの字形状のナット受け部があり、フォーカスモータの送りネジ部２７ａに螺合しているナット１５がナット受け部のコの字間隙に置かれ、ナットの回転は４群鏡筒との間で図示しない回りとめで抑えられている。この様に構成されているのでフォーカスモータが回転すると回り止めされているナットは送りネジ方向に送られることになる。
【００３１】
前述のメインガイドバー、サブガイドバーの根元はＣＣＤホルダーに固定され、メインガイドバー、サブガイドバー、フォーカスモータネジ部の先端は４群キャップ２９により位置決めされている。
【００３２】
次に絞りシャッターユニットおよびＮＤユニットについて説明する。
【００３３】
図１において３１は絞り羽根、３２は絞り羽根を駆動する風車、３３は絞り地板、３４はシャッター羽根、３５はシャッター地板、３６はシャッターカバー、５２はシャッターヨークである。４１はＮＤ地板、４２はＮＤ羽根、４３はＮＤカバーである。
【００３４】
図１において絞りシャッターユニットを光軸方向上側から見た様子を図３、４、５に示す。
【００３５】
図３はシャッターカバーを取り外した状態であり２枚のシャッター羽根３４が開いた状態を示している。シャッター羽根はシャッター地板３５から伸びている回転軸３５ａに回転可能に保持されていて、シャッター羽根の長穴３４ａには地板背面から突出している駆動ピン３８が嵌合している。駆動ピンは後述する駆動部によって回動し、シャッター羽根はそれに伴い回転軸３５ａを中心に回動してシャッターが開閉することになる。
【００３６】
次に図４は図３と同じ方向からシャッター地板を取り外して見た状態であり、同一形状の絞り羽根６枚が絞り地板から伸びている回転軸３３ａに回転可能に保持されている。
【００３７】
図５は図４において絞り羽根５枚を取り除いた状態であり、３９は風車を駆動するアクチュエータである。アクチュエータ３９からピン３９ａが伸びていて、風車の長穴３２ａに嵌合していて、アクチュエータが回動するに伴って風車が光軸を中心に回動するようになっている。風車からは６本のピンが伸びていて絞り羽根のカム溝と嵌合しているので、風車が回動すると絞り羽根は回転軸を中心にしてカム形状にならって回動して所望の絞り開口径を構成するようになっている。
次にＮＤユニットを図１において光軸方向下側からＮＤカバーを取り除いて見た図を図６に示す。４２ａはＮＤ羽根の開口部、４４はＮＤフィルタでありＮＤ羽根に貼り付けられている。４１ａはＮＤ地板から伸びている回転軸でありＮＤ羽根は回動可能に保持されている。４５ａは回動するアクチュエータ４５から伸びている駆動ピンであり、ＮＤ羽根の長穴４２ｂに嵌合しているので、アクチュエータが回動するとＮＤ羽根も回転軸を中心に回動する。
【００３８】
なお絞りシャッターユニットおよびＮＤユニットは図示していないビスによって共に３群鏡筒に固定されている。
【００３９】
次に絞り、シャッター、ＮＤフィルタの駆動部について説明する。
【００４０】
図７は絞りシャッターユニットを図１の光軸方向下側から見たところを表している。５０は絞りを駆動するステッピングモータであり、その出力軸には先述のアクチュエータ３９が一体的に接続されている。本実施例ではステッピングモータをマイクロステップ駆動してより細かな位置制御を行うことにより、絞りの精度向上を実現している。
【００４１】
５１、５２、５３はシャッターを駆動するコイル、ヨーク、マグネットである。先述の駆動ピン３８はマグネットと一体化していて、コイルへ通電することにより発生する磁力によってマグネットが特定の方向に回動され、同時に駆動ピンが回動するようになっている。
【００４２】
また図７には説明の為ＮＤの駆動部を重ね合わせて描いている。５４、５５、５６はそれぞれＮＤを駆動するコイル、シャッター、アクチュエータであり、アクチュエータは図示しないマグネットに固定されている。コイルに通電して発生した磁力によってマグネットが特定の方向に回動され、アクチュエータも一体的に回動する。
【００４３】
図１にはシャッターのコイルを描いているが、このように本実施例では絞り羽根とＮＤ羽根の間隙を用いて配置している。図示を省略するが絞りのステッピングモータやＮＤのコイル、各駆動部のマグネットやアクチュエータも同様に絞り羽根とＮＤ羽根の間隙を用いて配置している。このように羽根と羽根の間のデッドスペースを使うことによって３群鏡筒を薄型化することができる。また３２はステッピングモータ、コイル、コイルに電力を供給するＦＰＣであるが、各駆動部が光軸方向でほぼ同じ位置に配置されているので、ＦＰＣの這いまわしが短くできてコスト削減や電力損失が少なくなる効果がある。
【００４４】
ところで絞り、シャッター、ＮＤという３種類の羽根とそれらの駆動部をレンズの片側に配置したとすると、それぞれの羽根の可動領域を避けた場所に他の羽根のアクチュエータを配置しなくてはならず、レイアウトの制限から鏡筒の小型化を阻害する要因になってしまう。本実施例ではレンズの被写体側に絞り羽根とシャッター羽根を配置し、レンズの結像面側にＮＤ羽根を配置したので設計の自由度が高まり、小型化に適したレイアウトを行うことができる効果がある。当然のことながらどの羽根をレンズのどちら側に配置するかは本実施例に限るものではない。
【００４５】
さらに図７に示した様に、各駆動部を光軸を中心としてほぼ同一円周上に配置したので径方向に効率的に配置することができ、３群鏡筒の径方向の小型化、ひいては鏡筒全体の径方向の小型化を実現できる効果がある。
【００４６】
次に図８に、図１におけるＡ−Ａ断面図を示す。
【００４７】
図８において６１，６２は先述の回転防止キーである。１３ｃは３群鏡筒の側面に一体的に設けられたリブであり、直進ガイド環２６の側面に設けられた３群直進ガイド溝２６ｃにはまり込んでいる。
【００４８】
前述のように本実施例では３群鏡筒に絞りシャッターユニットとＮＤユニットが保持されていて重量が大きく、また３群鏡筒を保持するフォロワから離れた場所にそれらの重心があるため、衝撃が加わると３群鏡筒は傾いてカム溝から外れてしまう恐れがあった。そこで本実施例では直進ガイド環の３群鏡筒ガイド溝２６ｃにゆるく嵌合する様なリブ形状１３ｃを、３群鏡筒の外周に３箇所鏡筒と一体的に設けた。ガイド溝とリブのクリアランスを十分にとっているので、通常時にはリブとガイド溝は摺動せず負荷になることはなく、衝撃が加わって３群鏡筒が傾こうとすると３本のリブのうちの何れかが直進ガイド溝２６ｃの単面に当接してそれ以上傾くことを防ぐようになっている。本実施例では特に重量の大きい３群鏡筒に傾き防止構造を用いたが、当然他の群鏡筒に用いても何ら問題はない。
【００４９】
次にファインダーについて説明する。図１０に示したのがファインダーを接眼側からみた後面図、図１１が下面から見た下面図、図１４がファインダーを光軸上で水平に切った時の断面図である。
【００５０】
８０はファインダーベースで、そこに８１の対物Ｇ１レンズが固定されている。８２、８３、８４はそれぞれ対物Ｇ２、Ｇ３、Ｇ４レンズであり、図１４に示した２本のガイドバー８８ａ及び８８ｂと回転止めの役割を果たす不図示のもう１本のガイドバーにそって光軸方向に移動可能になっている。被写体側から入射して来た光が対物Ｇ１レンズに入射し対物Ｇ１レンズから対物Ｇ４レンズまでの間で屈折を繰り返して、８５のプリズムＡでここで反射した光が９０の視野枠のある面で１回結像し、その光がまた８６のダハプリズムで反射を繰り返した後、８７の接眼レンズを通って、撮影者の目に光が入射する。接眼レンズは光軸方向前後に移動可能に構成されており、移動することで視度調整を行うことが可能になっている。
【００５１】
図１４に示すガイドバー８８ａには対物Ｇ２レンズ８２、対物Ｇ４レンズ８４が軸支されている。ガイドバーを軸として圧縮バネ８９ａが２つのレンズの間に挟まっており、対物Ｇ２レンズを対物側、対物Ｇ４レンズを接眼側の方向に負荷をかけて片寄せしている。ガイドバー８８ａの真下には図１１に示す対物Ｇ２・Ｇ４レンズのカム環７３があり、７４の圧縮バネによりカム環７３は接眼側方向に片寄せされている。前述の圧縮バネ８９ａによる対物レンズの片寄せの負荷により各対物レンズについている不図示のカムピンが図１１に示すカム７３ｂ、７３ｃに突き当たり、カム環７３の回転に伴いカム形状にならって光軸方向に対物Ｇ２レンズ及び対物Ｇ４レンズが移動するようになっている。
【００５２】
対物Ｇ２レンズ及び対物Ｇ４レンズと同様にして、図１４に示すもう一本のガイドバー８８ｂには対物Ｇ３レンズ８３が軸支されている。ガイドバーを軸として圧縮バネ８９ｂがＧ３レンズとファインダーベース８０の突き当て部との間に挟まっており、対物Ｇ３レンズを接眼側の方向に負荷をかけて片寄せしている。ガイドバー８８ｂの真下には図１１に示す対物Ｇ３レンズのカム環７２がある。その片寄せの負荷により対物Ｇ３レンズについている不図示のカムピンが図１１、図１２に示すカム環７２上のカム７２ｃに突き当たり、カムの回転に伴いカム形状にならって光軸方向に対物Ｇ３レンズが移動するようになっている。カム環７３の片寄せは、この場合Ｇ２・Ｇ４側と違い対物Ｇ３レンズのみが片寄せされているため、対物レンズＧ３レンズに押されたカム環７３も同時に接眼方向に片寄せされている。
【００５３】
前記２つのカム環の展開図を図１５、図１６に示す。図１５はカム環７３の展開図で８２ａ、８４ａはそれぞれ対物Ｇ２レンズのカムピン、対物Ｇ４レンズのカムピンである。図１６はカム環７２の展開図で８３ａは対物Ｇ３レンズのカムピンである。
【００５４】
対物Ｇ２〜Ｇ４レンズの３つの対物レンズはそれぞれのカム、すなわちカム７３ｂが対物Ｇ２レンズ、カム７２ｃが対物Ｇ３レンズ、カム７３ｃが対物Ｇ４レンズのカムにならって移動させることにより、図１５、図１６での各カムピンの中心の軌跡にそって各対物レンズが移動し、ファインダー像をズーミングさせることができる。後述するがカム環７２とカム環７３は互いに逆回転するため、カム軌跡は展開図上位相が逆方向となる様にカムを切ってある。
【００５５】
以上のように構成されたファインダーにおいて、３つのレンズを動かしてズーミングを行うわけであるが、そのためには対物Ｇ２・Ｇ４レンズと対物Ｇ３レンズのカム環の位相を合わせておく必要がある。２つのカム環の駆動は前述したファインダーの２段ギア７１の回転により駆動力を得て駆動する様になっている。
２段ギア７１の小ギア側７１ｂは対物Ｇ３レンズのカム環７２と一体として回転するギア７２ｂと噛合ってカム環７２を回転させる。カム環７２にはもうひとつのギア７２ａがついておりこれが対物Ｇ２・Ｇ４レンズのカム環７３と一体として回転するギア７３ａと噛合って回転する。
【００５６】
次にこのファインダーの組み立て方について述べる。まずファインダーベースに各対物レンズと圧縮バネ、ガイドバーを組み込み、その後カム環７２及び７３を組みこむ。前述したように各対物レンズはバネの片寄せによって、対物Ｇ２レンズは物体側、対物Ｇ３、Ｇ４レンズは接眼側に突当たっている。このときの各レンズの位置は、カムの展開図上でいずれもカムがＳＩＮＫからＷＩＤＥまでの直線部がある方向に突当たっているため、組み込み時はカムピンがＳＩＮＫからＷＩＤＥまでの間の位置に来る様にカム環の位相を合わせれば、カムピンがスムーズにカムに乗るように組み込むことができる。よって各カム環を組み込むときのカム環の位相はある程度の自由度があるため、組みやすい。
【００５７】
図１２、図１３に示したのが２つのカム環の位相の合わせ方を説明するための図である。ファインダーの２段ギア７１を組み込む前の段階ではカム環７２はカム軸７６に沿って光軸方向に移動可能になっている。そして接眼側に片寄せされた位置においては図１０及び図１１を見ればわかるように７２ａ、７３ａが噛合っているが、図１２の矢印で示すように対物側の方向にカム環７２を動かすことにより、ギアの噛合いを外すことができる。この状態で２つのカム環のギアの噛合いの位相をずらすことができるので、図１３に示すように２つのカム環の一部に設けた溝７２ｄ、７３ｄを位相の目印とし、これらの溝が同じ方向を向く位置で、図１３の矢印で示す方向にカム環を片寄せ位置に戻してギアを噛合わせれば両カム環の位相合わせが簡単に行える。また図１０に示すようにギア部に穴７２ｅ、７３ｅを設け、ファインダーベースの妻板部に特定の位相でのみ穴７２ｅ、７３ｅが見えるように溝を設け、その両穴が見える位相に合わせれば両カムの位相が合う様にしておけば、接眼側からみて位相合わせをすることもできる。この様にして以上２つのギアを、位相を合わせて組むことによりズームファインダー内のレンズの位相を合わせることができる。
【００５８】
この後ファインダーの２段ギア７１をギアシャフト７５とともに組み込み、ファインダーの組み立てが完了する。このとき対物Ｇ３レンズのカム環７２はギア部７２ｂが２段ギアの大ギア７１ａ側で抑えられるため、光軸方向の移動が規制される。このため、ギア７２ａと７３ａとの噛合わせが外れることが防止されるため、組み立て完了後位相が狂うことはない。
【００５９】
ファインダーを鏡筒に組み込む際はファインダーの２段ギアの大小のギア比は２倍になっており、小ギア側は既に組んでいるので、大ギア側の位相はファインダーの位相を決められた位相に持ってくれば１つに決まる。よってファインダーと鏡筒をそれぞれ決められた位相にして組めば、２段ギアの位相を気にすることなくズーム中の位相を合わせることができる。
【００６０】
【発明の効果】
以上説明してきた様に、本発明のカメラのファインダーにおいては第一のカムと第二のカムの位相合わせをカムと一体化させたギアの位相で合わせ、ギアの位相合わせは第三の鏡筒からのズーム駆動を伝達するギアを取り付ける前にカムを光軸方向に移動させることでギアの噛合わせを外して、位相合わせを行って噛合わせ、その後第三のギアを取り付けた後は第一のギアと第二のギアの噛合わせが外せなくなる。このことにより組み立て及び位相合わせが容易でしかも後から外れることがなくなり、またカムを２体化したことによりファインダーの小型化が容易になる。
【図面の簡単な説明】
【図１】鏡筒断面図。
【図２】移動カム環内面展開図。
【図３】シャッターユニット詳細図。
【図４】絞りユニット詳細図。
【図５】絞りユニット詳細図。
【図６】ＮＤユニット詳細図。
【図７】ユニット駆動部詳細図。
【図８】鏡筒断面図。
【図９】ファインダー及び鏡筒の駆動環の断面を示す図。
【図１０】ファインダーを接眼側から見た図。
【図１１】ファインダーを下側から見た図。
【図１２】ファインダーを下側から見た図。
【図１３】ファインダーを下側から見た図。
【図１４】ファインダーを上側から見た断面図。
【図１５】ファインダーの対物Ｇ２・Ｇ４レンズのカム環の展開図。
【図１６】ファインダーの対物Ｇ３レンズのカム環の展開図。
【図１７】ファインダーの対物Ｇ２〜Ｇ４レンズのカムを示す展開図。
【符号の説明】
１，２，３，４　１，２，３，４群レンズ
１１，１２，１３，１４　１，２，３，４群鏡筒
２１　移動カム環
２２　固定筒
２５　駆動環
２６　直進ガイド環
２７　フォーカスモータ
２８　ズームモータ
３１　絞り羽根
３２　ＦＰＣ
３３　絞り地板
３４　シャッター羽根
３５　シャッター地板
４１　ＮＤ地板
４２　ＮＤ羽根
７１　ファインダー２段ギア
７２　対物Ｇ３レンズのカム環
７３　対物Ｇ２・Ｇ４レンズのカム環
８１，８２，８３，８４　対物Ｇ１，Ｇ２，Ｇ３，Ｇ４レンズ
８８ａ，ｂ　ガイドバー
【図１】
2004145044.tif 000003
【図２】
2004145044.tif 000004
【図３】
2004145044.tif 000005
【図４】
2004145044.tif 000006
【図５】
2004145044.tif 000007
【図６】
2004145044.tif 000008
【図７】
2004145044.tif 000009
【図８】
2004145044.tif 000010
【図９】
2004145044.tif 000011
【図１０】
2004145044.tif 000012
【図１１】
2004145044.tif 000013
【図１２】
2004145044.tif 000014
【図１３】
2004145044.tif 000015
【図１４】
2004145044.tif 000016
【図１５】
2004145044.tif 000017
【図１６】
2004145044.tif 000018
【図１７】
2004145044.tif 000019